(57)【要約】【課題】正確な位置調整を必要とすることなく、複数の凹面鏡を組み合わせて大きな凹面鏡として使用することが可能な表示装置を提供する。【解決手段】表示装置は、画像表示部に表示画像を表示し、その表示画像に対応する光を複数の光学素子により反射して観察者に導くことにより、観察者に表示画像に対応する虚像を視認させる。表示画像を複数の光学素子により反射するため、表示画像には、同一の画像内容を有する重複部分を設ける。これにより、複数の光学素子で反射された重複部分の画像は虚像上で重なり、表示画像に対応する虚像を正しく観察者に視認させることができる。【選択図】図４
2019194706.tif 000002
【特許請求の範囲】
【請求項１】
表示画像を表示するとともに、当該表示画像に対応する光を射出する画像表示部と、
射出された前記光を反射することにより、前記表示画像に対応する虚像を形成する複数の光学素子と、
を備え、
前記表示画像は、同一の画像内容を有する部分である重複部分を有することを特徴とする表示装置。
【発明の詳細な説明】
【技術分野】
【０００１】
本発明は、観察者に虚像を視認させる表示装置に関する。
【背景技術】
【０００２】
凹面鏡を用いて、元の画像を拡大して虚像をユーザに視認させるヘッドアップディスプレイが知られている（例えば特許文献１参照）。
【先行技術文献】
【特許文献】
【０００３】
【特許文献１】特開２０１３−２５４０３１号公報
【発明の概要】
【発明が解決しようとする課題】
【０００４】
上記のようなヘッドアップディスプレイにおいて、虚像として表示したい情報が多い場合や表示したい画像が大きい場合には、大きな凹面鏡を使用する必要がある。しかし、一般的に大きな凹面鏡は製作コストが高い。
【０００５】
一方、大きな１つの凹面鏡を作る代わりに、小さな複数の凹面鏡を組み合わせて使用することにより、コストを下げることができる。しかしながら、複数の凹面鏡を１つの凹面になるように正確に位置調整してつなぎ合わせるのには困難が伴う。
【０００６】
本発明の解決しようとする課題としては、上記のものが一例として挙げられる。本発明は、正確な位置調整を必要とすることなく、複数の凹面鏡を組み合わせて大きな凹面鏡として使用することが可能な表示装置を提供することを目的とする。
【課題を解決するための手段】
【０００７】
請求項１に記載の発明は、表示装置であって、表示画像を表示するとともに、当該表示画像に対応する光を射出する画像表示部と、射出された前記光を反射することにより、前記表示画像に対応する虚像を形成する複数の光学素子と、を備え、前記表示画像は、同一の画像内容を有する部分である重複部分を有することを特徴とする。
【図面の簡単な説明】
【０００８】
【図１】実施例に係る表示装置の基本構成を示す。
【図２】２枚の凹面鏡を正確につなぎ合わせた凹面鏡を用いて虚像を表示する構成を示す平面図である。
【図３】図２の構成によって表示される虚像の例を示す。
【図４】実施例により虚像を表示する構成を示す平面図である。
【図５】図４の構成によって表示される虚像の例を示す。
【図６】凹面鏡が回転した場合の虚像位置のずれを説明する図である
【図７】凹面鏡の回転角と虚像位置のずれとの関係を示す。
【図８】実施例における元画像、中間像及び虚像の関係を示す。
【図９】アイボックス内の右目位置からの虚像の見え方を説明する図である。
【図１０】アイボックス内の中央位置からの虚像の見え方を説明する図である。
【図１１】アイボックス内の左目位置からの虚像の見え方を説明する図である。
【図１２】アイボックス外の位置からの虚像の見え方を説明する図である。
【図１３】中間像の調整方法の一例を示す。
【図１４】中間像の調整方法の他の一例を示す。
【図１５】１つの大きな凹面鏡を３分割で構成する例を模式的に示す。
【図１６】１つの大きな凹面鏡を３×２分割で構成する例を模式的に示す。
【発明を実施するための形態】
【０００９】
本発明の好適な実施形態では、表示装置は、表示画像を表示するとともに、当該表示画像に対応する光を射出する画像表示部と、射出された前記光を反射することにより、前記表示画像に対応する虚像を形成する複数の光学素子と、を備え、前記表示画像は、同一の画像内容を有する部分である重複部分を有する。
【００１０】
上記の表示装置は、画像表示部に表示画像を表示し、その表示画像に対応する光を複数の光学素子により反射して観察者に導くことにより、観察者に表示画像に対応する虚像を視認させる。表示画像を複数の光学素子により反射するため、表示画像には、同一の画像内容を有する重複部分を設ける。これにより、複数の光学素子で反射された重複部分の画像は虚像上で重なり、表示画像に対応する虚像を正しく観察者に視認させることができる。好適な例では、光学素子は凹面鏡とされる。これにより、元の表示画像に対して、観察者が視認する虚像を拡大することができる。
【００１１】
上記の表示装置の一態様では、前記複数の光学素子は、少なくとも第１光学素子と第２光学素子とを有し、前記表示画像は、第１範囲と第２範囲とを有し、前記第１範囲に対応する光は前記第１光学素子に照射され、前記第２範囲に対応する光は前記第２光学素子に照射される。この態様では、表示画像の第１範囲と第２範囲は、それぞれ第１光学素子と第２光学素子により反射されて観察者に至る。好ましくは、前記重複部分は、前記表示画像において、前記第１範囲と前記第２範囲とが隣接する領域に存在する。
【００１２】
上記の表示装置の他の一態様では、前記表示画像は、前記虚像として視認されるべき元画像に基づいて作成され、前記第１範囲は、前記元画像の一端側の部分と前記元画像の中央の部分とにより構成され、前記第２範囲は、前記元画像の他端側の部分と前記中央の部分とにより構成される。この態様では、元画像の中央の部分が重複部分として表示画像に含められ、虚像において重なって表示される。
【００１３】
上記の表示装置の他の一態様では、前記第１光学素子と前記第２光学素子とはつなぎ合わされており、前記重複部分の範囲は、前記第１光学素子と前記第２光学素子とがつなぎ合わされる角度に応じて設定される。２つの光学素子がつなぎ合される角度と、虚像における重複領域の幅とは相関があるため、重複部分の範囲を上記の角度に応じて設定することにより、虚像における重複部分に対応する領域を正しく重ねることができる。
【００１４】
上記の表示装置の他の一態様では、前記虚像における前記重複部分に対応する領域を、前記第１光学素子と前記第２光学素子とのつなぎ目から見た見込み角は、前記虚像を視認可能な領域であるアイボックスの幅を前記つなぎ目から見た見込み角より大きい。この条件を具備することにより、アイボックス内のいずれの視点位置においても、虚像を正しく視認することができる。
【実施例】
【００１５】
以下、図面を参照して本発明の好適な実施例について説明する。
［装置構成］
図１は、実施例に係る表示装置の基本構成を示す。表示装置１０は、観察者に虚像を視認させる装置であり、プロジェクタ１と、透過型のスクリーン２と、凹面鏡３と、を備える。
【００１６】
プロジェクタ１は、レーザ光源などを含み、観察者に視認させる画像（以下、「元画像」と呼ぶ。）に対応する画像信号が入力される。プロジェクタ１は、その画像信号に基づいて表示画像を生成し、表示画像に対応する光Ｌ１を射出する。具体的には、プロジェクタ１には例えばＭＥＭＳミラーなどの走査手段が搭載されており、走査手段は、光源から出射された光を表示画像に従って走査して走査光Ｌ１を射出することにより、スクリーン２上に２次元の画像（以下、「中間像」と呼ぶ。）を表示する。
【００１７】
スクリーン２は透過型であり、プロジェクタ１から出射される光Ｌ１を透過させて光Ｌ２として凹面鏡３に照射する。凹面鏡３は、凹面形状に形成されたハーフミラーであり、観察者の前方に配置される。凹面鏡３は、スクリーン２に表示された中間像を構成する光Ｌ２の一部を反射し、反射光Ｌ３としてアイボックス７に到達させる。なお、アイボックス７は、虚像を視認できる領域であり、観察者の目の位置に相当する。これにより、観察者は凹面鏡３の背後（観察者と反対側）に虚像ＶＩを視認する。虚像ＶＩは、スクリーン２に表示された中間像を、凹面鏡３の曲率に応じた倍率で拡大したものとなる。
【００１８】
なお、上記の構成において、スクリーン２は本発明の画像表示部の一例であり、凹面鏡３は本発明の光学素子の一例である。
【００１９】
［原理説明］
次に、虚像表示の基本原理を説明する。図２は、２枚の凹面鏡を正確につなぎ合わせて構成した凹面鏡を用いて虚像を表示する構成を示す。なお、図２は、図１に示した表示装置１０を上方から見た場合の平面図に相当する。
【００２０】
アイボックス７の前方に、前述のスクリーン２などにより中間像ＩＭが表示される。なお、アイボックス７内には、観察者の右目に相当する右目位置ＥＲと、左目に相当する左目位置ＥＬと、それらの中央に相当する中央位置ＥＣとが設定される。
【００２１】
観察者は、中間像ＩＭを構成する光が凹面鏡３０で反射された光を見ることにより、凹面鏡３０の背後（後方）に虚像ＶＩを視認する。ここで、凹面鏡３０は、２つの凹面鏡３０Ｌと３０Ｒとを、１つの凹面を構成するようにつなげたものであるとする。即ち、２つの凹面鏡３０Ｌと３０Ｒは、そのつなぎ目３０ｘの部分で曲率が一定となるように滑らかにつなぎ合わされているものとする。この場合、凹面鏡３０は１つの凹面鏡と考えることができる。以下、これを「２つの凹面鏡を正確につなぎ合わせた場合」とも表現する。
【００２２】
この場合に観察者が視認する虚像の例を図３に示す。図３（Ａ）は、元画像、中間像及び虚像の関係を示す。図３（Ａ）において、元画像Ｉは、虚像として観察者に視認させたい画像であり、プロジェクタ１に入力される。プロジェクタ１は、元画像Ｉと同一の中間像ＩＭをスクリーン２に投射する。観察者は、中間像ＩＭが凹面鏡３０で反射した光を見ることにより、元画像Ｉと同一の虚像ＶＩを視認する。
【００２３】
図３（Ｂ）は、アイボックス７内の左目位置ＲＬ、中央位置ＥＣ、右目位置ＥＲから見た虚像を示す。図３（Ｂ）に示すように、２つの凹面鏡３０Ｌ、３０Ｒのつなぎ目３０ｘに対応する線Ｌｘが見える。この線の左側は左の凹面鏡３０Ｌを通して見る領域であり、この線の左側は右の凹面鏡３０Ｒを通して見る領域である。
【００２４】
中央位置ＥＣから見た虚像においては、凹面鏡３０のつなぎ目３０ｘに対応する線Ｌｘは虚像の左右方向の中央に位置する。即ち、中央位置ＥＣにおいては、観察者の目は、虚像の左半分を凹面鏡３０Ｌを通して視認し、虚像の右半分を凹面鏡３０Ｒを通して視認する。
【００２５】
左目位置ＥＬから見た虚像においては、凹面鏡３０のつなぎ目３０ｘに対応する線Ｌｘは虚像の左右方向の中央よりも右寄りに位置する。即ち、左目位置ＥＬにおいては、観察者の目が凹面鏡３０Ｌを通して視認する領域の方が、凹面鏡３０Ｒを通して視認する領域よりも大きくなる。
【００２６】
右目位置ＥＲから見た虚像においては、凹面鏡３０のつなぎ目３０ｘに対応する線Ｌｘは虚像の左右方向の中央よりも左寄りに位置する。即ち、右目位置ＥＲにおいては、観察者の目が凹面鏡３０Ｒを通して視認する領域の方が、凹面鏡３０Ｌを通して視認する領域よりも大きくなる。
【００２７】
図２の例では凹面鏡３０Ｌと３０Ｒとを正確につなぎ合わせているので、図３（Ｂ）に示すように、アイボックス７内のいずれの位置から見た虚像においても、凹面鏡３０のつなぎ目３０ｘに対応する領域に不連続やズレなどが生じることは無い。
【００２８】
さて、このように複数の凹面鏡をつなぎ合わせることにより大きな凹面鏡を作製すれば、ヘッドアップディスプレイなどにより観察者に大きな虚像を視認させることができるのであるが、上記の例のように複数の凹面鏡を正確につなぎ合わせる作業には高い精度が要求され、コストがかかる。そこで、本実施例では、２つの凹面鏡のつなぎ目に要求される精度を緩和し、その分を中間像の生成によって吸収する。具体的には、２つの凹面鏡のつなぎ目において発生する虚像の不連続やずれを吸収するような中間像を生成する。
【００２９】
図４は、実施例により虚像を表示するための構成を示す。なお、説明の便宜上、図２における凹面鏡３０Ｌ、３０Ｒの位置を破線で示してある。基本的な構成は図２に示す例と同様であるが、実施例の構成では、２つの凹面鏡３Ｌ、３Ｒのつなぎ目３ｘが１つの凹面を形成するようになっていない。具体的には、破線３０Ｌ、３０Ｒで示すように２つの凹面鏡を正確につないだ場合、即ち、２つの凹面鏡のつなぎ目が１つの凹面を形成するようにつなぎ合わされた場合の位置を各凹面鏡の基準位置とすると、本実施例では、２つの凹面鏡３Ｌ、３Ｒはその基準位置からそれぞれ角度θだけ開いた位置に配置されている。より詳しくは、２つの凹面鏡３Ｌ、３Ｒのつなぎ目３ｘを中心として、凹面鏡３Ｌ、３Ｒはそれぞれ角度θだけ回転した位置に配置されている。なお、凹面鏡３Ｒの回転方向を正としているため、凹面鏡３Ｌの回転量は「−θ」と示されている。
【００３０】
このように、２つの凹面鏡３Ｌ、３Ｒが基準位置よりも開いた状態に配置されると、それぞれの凹面鏡により表示される虚像は中央方向へ動き、部分的に重なることになる。よって、図３（Ａ）の例のように、中間像ＩＭを元画像Ｉと同一にすると、観察者が視認する虚像ＶＩにおいては中間像ＩＭの中央部分が重なってしまい、不連続となってしまう。
【００３１】
そこで、本実施例では、中間像ＩＭの中央部分に重複部分を作り、虚像ＶＩ上でそれらの部分が相互に重なった場合でも正しく虚像ＶＩが視認されるようにする。
【００３２】
実施例の場合に観察者が視認する虚像の例を図５に示す。図５（Ａ）は、元画像Ｉ、中間像ＩＭ、虚像ＶＩの関係を示す。図５（Ａ）に示すように、本実施例では、元画像Ｉの中央に所定幅の重複部分Ｉｘを設定する。次に、元画像Ｉの左端部から重複部分Ｉｘまでを切り取った画像を左画像とし、元画像Ｉの右端部から重複部分Ｉｘまでを切り取った画像を右画像とする。そして、そのように生成した右画像と左画像とを左右に隣接して並べて中間像ＩＭとする。これにより、中間像ＩＭにおいては、その中央の領域において、画像内容が同一である２つの重複部分ＩＭｘが隣接して並んで存在することになる。
【００３３】
このような中間像ＩＭにより得られる虚像ＶＩは、図５（Ａ）に示すように、不連続やズレを含まないものとなる。具体的には、元画像Ｉに設定された重複部分Ｉｘに対応する虚像ＶＩの領域（以下、「重複領域ＶＩｘ」と呼ぶ。）が虚像ＶＩの中央で相互に重なっているが、この領域は元画像Ｉの同一の部分に対応するため画像内容が同一であるので、虚像上で正しく重なって表示されれば、観察者は元画像Ｉと同一の虚像を視認することができる。
【００３４】
図５（Ｂ）は、アイボックス７内の左目位置ＲＬ、中央位置ＥＣ、右目位置ＥＲから見た虚像を示す。図３（Ｂ）と比較するとわかるように、本実施例の構成によっても、観察者が視認する虚像は、２つの凹面鏡を正確につないだ場合と同様となる。
【００３５】
このように、本実施例では、左右の凹面鏡３Ｌ、３Ｒのつなぎ目の要求精度を下げる代わりに、中間像ＩＭの内容を工夫することにより、複数の凹面鏡を用いて大きな凹面鏡を構成することが可能となる。
【００３６】
次に、凹面鏡の開き角と虚像のずれとの関係を説明する。図６は、凹面鏡３Ｒが基準位置から角度θだけ回転した場合の虚像位置のずれ（移動量）を説明する図である。図６において、Ｘ／Ｙ座標は凹面鏡３Ｒの回転前の座標系であり、Ｘ’／Ｙ’は凹面鏡３Ｒの回転後の座標系である。Ｘ／Ｙ座標の原点は凹面鏡のつなぎ目３ｘに相当する。Ｘ軸は凹面鏡３のつなぎ目３ｘを通る主光線の方向に相当し、Ｙ軸はＸ軸と垂直な方向に相当する。Ｘ’軸は回転後の凹面鏡３のつなぎ目３ｘを通る主光線の方向に相当し、Ｙ’軸はＸ’軸と垂直な方向に相当する。
【００３７】
また、回転前の中間像とＸ軸上の交点位置を「Ｐ」とし、ＰからＸ’軸へおろした垂線の足を「Ｐ’」とする。回転前の中間像と凹面鏡との距離を「ａ」とし、回転後の中間像と凹面鏡との距離を「ａ’」とする。回転前の虚像位置をＱとし、回転後の虚像位置Ｑに対応する位置を「Ｑ’」とし、回転後の虚像位置を「Ｒ（Ｒｘ，Ｒｙ）」とする。回転後の凹面鏡と虚像位置Ｑ’との距離を「ｂ’」とし、ＲからＸ’軸へおろした垂線の足を「Ｑ’」とする。凹面鏡の焦点距離を「ｆ」とする。
【００３８】
以上の場合、回転後の虚像位置Ｒは図６に示す式（１）で与えられるので、凹面鏡３Ｒを角度θ回転した場合の虚像のずれは「Ｒｙ」で与えられる。図７は、凹面鏡の回転角θと虚像位置のずれとの関係を示す。図７より、虚像位置のずれＲｙはほぼ「２ｂθ」で与えられるので、凹面鏡を角度θ回転することにより、虚像位置は２ｂθ移動すると考えられる。図４に示す本実施例の構成において、凹面鏡３Ｌ、３Ｒの角度θに基づいて虚像位置のずれ量を算出することにより、元画像Ｉにおける重複部分Ｉｘの幅を設定することができる。
【００３９】
［視点位置での見え方］
次に、本実施例におけるアイボックス７内の各視点位置での虚像の見え方について説明する。
【００４０】
図８は、実施例における元画像、中間像及び虚像の関係を示す。いま、元画像が横方向に左側から＃１〜＃４の４つの部分により構成されているとする。＃２〜３の部分が重複部分Ｉｘに相当する。よって、元画像に基づいて生成される表示画像においては、左画像は＃１〜３で構成され、右画像は＃２〜４で構成される。この表示画像が、スクリーン２に中間像として表示される。
【００４１】
２つの凹面鏡３Ｌ、３Ｒは基準位置から角度θ回転して配置されている。この場合、前述のように虚像のずれは「２ｂθ」となり、凹面鏡のつなぎ目３ｘから虚像の重複領域を見た場合の見込み角は「４θ」となる。
【００４２】
観察者は、右側の凹面鏡３Ｒを通じて＃２〜４の部分の虚像を視認し、左側の凹面鏡３Ｌを通じて＃１〜３の部分の虚像を視認するので、全体として元画像と同一の画像を視認することができる。
【００４３】
アイボックス７の幅を「ｗ」とし、凹面鏡のつなぎ目３ｘとアイボックス７との距離を「ｅ」とし、凹面鏡のつなぎ目３ｘからアイボックス７を見た場合の見込み角を「γ」とすると、
Ｗ／ｅ＝γ＜４θ      （２）
が成立しているときに、アイボックス７内の視点から見た虚像が正しく見える。即ち、不連続やずれが生じない。
【００４４】
次に、図８に示した状況における観察者の視点毎の虚像の見え方を説明する。図９は、観察者の視点がアイボックス７内の右目位置ＥＲにある場合の虚像の見え方を示す。この場合、右目位置ＥＲからは、右側の凹面鏡３Ｒを通して元画像の＃２〜４の部分が見え、左側の凹面鏡３Ｌを通して元画像の＃１の部分が見える。よって、全体としては元画像全体が虚像として視認できる。
【００４５】
図１０は、観察者の視点がアイボックス７内の中央位置ＥＣにある場合の虚像の見え方を示す。この場合、中央位置ＥＣからは、右側の凹面鏡３Ｒを通して元画像の＃３〜４の部分が見え、左側の凹面鏡３Ｌを通して元画像の＃１〜２の部分が見える。よって、全体としては元画像全体が虚像として視認できる。
【００４６】
図１１は、観察者の視点がアイボックス７内の左目位置ＥＬにある場合の虚像の見え方を示す。この場合、左目位置ＥＬからは、右側の凹面鏡３Ｒを通して元画像の＃４の部分が見え、左側の凹面鏡３Ｌを通して元画像の＃１〜３の部分が見える。よって、全体としては元画像全体が虚像として視認できる。
【００４７】
図１２は、観察者の視点が左目位置ＥＬ側のアイボックス７外の位置にある場合の虚像の見え方を示す。この場合、アイボックス外の位置からは、右側の凹面鏡３Ｒを通して元画像の＃４の一部分しか見ることができない。また、左側の凹面鏡３Ｌを通しては、元画像の＃１〜３の部分に加えて、＃２の部分の一部が見えてしまう。よって、全体としては見える虚像は、元画像の＃４の部分の一部に＃２の一部が入り込んだものとなり、元画像全体を正しく虚像として視認させることができなくなる。
【００４８】
このように、アイボックス７内の視点位置に対しては元画像と同一の虚像を正しく視認させることができるが、アイボックス７外の視点位置に対しては元画像と同一の虚像を正しく視認させることはできない。
【００４９】
［中間像の調整方法］
次に、実際の中間像の調整方法について説明する。前述のように、本実施例では、２つの凹面鏡３Ｌ、３Ｒを正確につないで配置する代わりに中間像側で調整を行う。即ち、２つの凹面鏡３Ｌ、３Ｒを所定の位置に配置した上で、虚像を視認しながら中間像を調整する。
【００５０】
図１３は、中間像の調整方法の一例を示す。左側の「調整前」の画像では、中間像に重複部分ＩＭｘを設けているが、虚像ＶＩの重複領域ＶＩｘでは、２つの画像が左右方向にずれており、正しく重なっていない。この場合には、中間像の左画像を左にずらすとともに、中間像の右画像を右にずらし、重複部分ＩＭｘを増やすように中間像の調整を行う。これにより、「調整後」の虚像ＶＩでは、重複領域ＶＩｘにおける２つの画像が正しく重なり、元画像と同一の虚像を観察者に視認させることが可能となる。
【００５１】
図１４は、中間像の調整方法の他の一例を示す。左側の「調整前」の画像では、中間像に重複部分ＩＭｘを設けているが、虚像ＶＩの重複領域ＶＩｘでは、２つの画像が上下方向にずれており、正しく重なっていない。この場合には、中間像の右画像を下にずらすように中間像の調整を行う。もしくは、中間像の左画像を下にずらしてもよい。これにより、「調整後」の虚像ＶＩでは、重複領域ＶＩｘにおける２つの画像が正しく重なり、元画像と同一の虚像を観察者に視認させることが可能となる。
【００５２】
［変形例］
上記の実施例では、２つの凹面鏡３Ｌ、３Ｒを横方向につなぎ合わせて１つの凹面鏡を構成している。言い換えると、１つの大きな凹面鏡を２分割した小さい凹面鏡により構成している。その代わりに、１つの大きな凹面鏡を３分割以上、即ち、３つ以上の小さい凹面鏡により構成してもよい。
【００５３】
図１５は、３つの凹面鏡３Ｌ、３Ｃ、３Ｒを横方向につなげて１つの大きな凹面鏡を構成した例を示す。このように、３つ以上の凹面鏡をつなぎ合わせる場合でも、上記の実施例と同様に、中間像に重複部分を設けることにより、観察者が視認する虚像ＶＩを元画像と同一にすることができる。
【００５４】
図１６は、１つの大きな凹面鏡を３×２分割で構成する例を模式的に示す。即ち、横方向につなぎ合わせた３つの凹面鏡１〜３と凹面鏡４〜６とを、さらに縦方向にもつなぎ合わせて１つの大きな凹面鏡を構成する。この場合も同様に、縦横方向の凹面鏡のつなぎ目に対応して中間像に重複部分を設けることにより、観察者が視認する虚像ＶＩを元画像と同一にすることができる。
【００５５】
なお、上記の実施例では、プロジェクタ１からスクリーン２に対して表示画像を投影してスクリーン２上に中間像を形成しているが、中間像を表示する手法はこれには限られない。例えば、スクリーン２として表示画像を表示する液晶スクリーンを用いて中間像を表示することとしてもよい。
【００５６】
また、上記の実施例では、中間像を凹面鏡３により観察者側に反射しているが、その代わりに平面鏡を用いてもよい。
【符号の説明】
【００５７】
１  プロジェクタ
２  スクリーン
３、３０  凹面鏡
７  アイボックス
ＩＭ  中間像
ＶＩ  虚像
Ｉｘ、ＩＭｘ  重複部分
ＶＩｘ  重複範囲
【図１】
2019194706.tif 000003
【図２】
2019194706.tif 000004
【図３】
2019194706.tif 000005
【図４】
2019194706.tif 000006
【図５】
2019194706.tif 000007
【図６】
2019194706.tif 000008
【図７】
2019194706.tif 000009
【図８】
2019194706.tif 000010
【図９】
2019194706.tif 000011
【図１０】
2019194706.tif 000012
【図１１】
2019194706.tif 000013
【図１２】
2019194706.tif 000014
【図１３】
2019194706.tif 000015
【図１４】
2019194706.tif 000016
【図１５】
2019194706.tif 000017
【図１６】
2019194706.tif 000018